(57)【要約】【課題】異物が侵入するのを抑制可能な光源ユニットおよびそれを用いた照明器具を提供する。【解決手段】光源ユニット２は、光源部３と、電源ユニット４と、光源部３および電源ユニット４が取り付けられる取付部材５と、光源部３と電源ユニット４とを電気的に接続する接続部材６とを備えている。取付部材５は、板状に形成されている。取付部材５の第１面には、光源部３が配置されている。取付部材５の第２面には、電源ユニット４が配置されている。取付部材５における光源部３の投影領域内には、貫通孔５ａが形成されている。光源部３は、貫通孔５ａと対向する部位に、接続部材６が貫通孔５ａを通して接続される接続部３２が設けられている。照明器具１０は、光源ユニット２と、光源ユニット２が取り付けられる器具本体１とを備えている。【選択図】図１
2016046047.tif 000002
【特許請求の範囲】
【請求項１】
光源部と、前記光源部に電源を供給する電源ユニットと、前記光源部および前記電源ユニットが取り付けられる取付部材と、前記光源部と前記電源ユニットとを電気的に接続する接続部材とを備え、
前記取付部材は、板状に形成され、前記取付部材の第１面には、前記光源部が配置され、前記取付部材における前記第１面とは反対側の第２面には、前記電源ユニットが配置され、
前記取付部材における前記光源部の投影領域内には、貫通孔が形成され、
前記光源部は、前記貫通孔と対向する部位に、前記接続部材が前記貫通孔を通して接続される接続部が設けられている
ことを特徴とする光源ユニット。
【請求項２】
前記取付部材は、金属により形成され、
前記取付部材における前記貫通孔の内側には、前記取付部材と前記接続部材の導電部とを電気的に絶縁する絶縁部材が配置されている
ことを特徴とする請求項１記載の光源ユニット。
【請求項３】
前記接続部材は、前記電源ユニットと電気的に接続される第１コネクタと、前記接続部と電気的に接続される第２コネクタと、前記第１コネクタと前記第２コネクタとを電気的に接続する導体部とを備えている
ことを特徴とする請求項１または請求項２記載の光源ユニット。
【請求項４】
前記接続部材は、前記第１コネクタを保持する第１保持部と、前記第２コネクタを保持する第２保持部とを、更に備え、
前記第１保持部は、前記第２保持部に取り付けられ、かつ、前記第２保持部に対して変位可能に構成されている
ことを特徴とする請求項３記載の光源ユニット。
【請求項５】
前記電源ユニットは、前記貫通孔を閉塞するように、前記第２面に配置されている
ことを特徴とする請求項３記載の光源ユニット。
【請求項６】
前記電源ユニットは、前記光源部に電源を供給する電源回路を有する電源基板と、前記電源基板を収納するケースとを備え、
前記電源基板には、前記接続部材が電気的に接続され、
前記ケースには、前記接続部材を突出させる孔が形成されている
ことを特徴とする請求項１または請求項２記載の光源ユニット。
【請求項７】
前記電源ユニットは、前記ケースが前記貫通孔を閉塞するように、前記第２面に配置されている
ことを特徴とする請求項６記載の光源ユニット。
【請求項８】
請求項１ないし請求項７のいずれか１項に記載の光源ユニットと、前記光源ユニットが取り付けられる器具本体とを備えている
ことを特徴とする照明器具。
【発明の詳細な説明】
【技術分野】
【０００１】
本発明は、光源ユニットおよびそれを用いた照明器具に関する。
【背景技術】
【０００２】
近年、光源として発光ダイオードを用いた照明器具が提案されている（例えば、特許文献１）。
【０００３】
特許文献１に記載された照明器具は、器具本体と、光源ユニットとを備えている。
【０００４】
光源ユニットは、発光ダイオードが実装された基板と、この基板が取り付けられる取付部材とを備えている。上記基板には、複数の発光ダイオードが実装されている。特許文献１には、光源ユニットが、複数の上記基板を備えている旨が記載されている。
【０００５】
また、光源ユニットは、複数の上記基板を覆うようにして取付部材に取り付けられるカバー部材と、電源装置と、端子台ブロックとを備えている。
【０００６】
取付部材には、複数の上記基板を収容する凹部が設けられている。この凹部には、複数の上記基板と電源装置とを電気的に接続する電線を通す孔が、設けられている。
【０００７】
特許文献１には、複数の上記基板を凹部の底面に固定した後、複数の上記基板のうち１つの上記基板に実装されたコネクタから導出する上記電線を、凹部に設けられた孔に通して電源装置に接続する旨が記載されている。
【先行技術文献】
【特許文献】
【０００８】
【特許文献１】特開２０１４−１１６２９９号公報
【発明の概要】
【発明が解決しようとする課題】
【０００９】
特許文献１に記載された照明器具における光源ユニットでは、取付部材の凹部に設けられた孔と上記電線との隙間から光源ユニット内に、異物（例えば、虫、埃など）が侵入する可能性がある。
【００１０】
本発明の目的は、異物が侵入するのを抑制可能な光源ユニットおよびそれを用いた照明器具を提供することにある。
【課題を解決するための手段】
【００１１】
本発明の光源ユニットは、光源部と、前記光源部に電源を供給する電源ユニットと、前記光源部および前記電源ユニットが取り付けられる取付部材と、前記光源部と前記電源ユニットとを電気的に接続する接続部材とを備えている。前記取付部材は、板状に形成されている。前記取付部材の第１面には、前記光源部が配置されている。前記取付部材における前記第１面とは反対側の第２面には、前記電源ユニットが配置されている。前記取付部材における前記光源部の投影領域内には、貫通孔が形成されている。前記光源部は、前記貫通孔と対向する部位に、前記接続部材が前記貫通孔を通して接続される接続部が設けられている。
【００１２】
本発明の照明器具は、前記光源ユニットと、前記光源ユニットが取り付けられる器具本体とを備えている。
【発明の効果】
【００１３】
本発明の光源ユニットにおいては、異物が侵入するのを抑制可能となる。
【００１４】
本発明の照明器具においては、異物が侵入するのを抑制可能な光源ユニットを備えた照明器具を提供することができる。
【図面の簡単な説明】
【００１５】
【図１】実施形態１の光源ユニットを備えた照明器具の分解斜視図である。
【図２】実施形態１の光源ユニットを備えた照明器具の斜視図である。
【図３】実施形態１の光源ユニットにおいて、光源部、取付部材および接続部を示す一部破断された断面図である。
【図４】実施形態１の光源ユニットに関し、接続部の配置例を示す説明図である。
【図５】実施形態１の光源ユニットに関し、接続部材を説明する説明図である。
【図６】実施形態２の光源ユニットに関し、接続部材を説明する説明図である。
【図７】実施形態２の光源ユニットにおいて、光源部および接続部を示す一部破断された平面図である。
【図８】実施形態２の光源ユニットにおいて、電源ユニット、取付部材、光源部、接続部材、接続部および絶縁部材を示す一部破断された断面図である。
【図９】実施形態３の光源ユニットに関し、接続部材を説明する説明図である。
【図１０】実施形態４の光源ユニットにおいて、電源ユニット、取付部材、光源部、接続部材および接続部を示す一部破断された断面図である。
【発明を実施するための形態】
【００１６】
（実施形態１）
以下では、実施形態１の光源ユニット２について、図１〜図５を参照しながら説明する。なお、以下では、説明の便宜上、光源ユニット２を備えた照明器具１０を説明した後に、光源ユニット２を詳細に説明する。
【００１７】
照明器具１０は、例えば、天井材９０に直付けされるように構成されている。照明器具１０は、器具本体１と、光源ユニット２とを備えている。
【００１８】
器具本体１は、光源ユニット２が着脱自在に取り付けられるように構成されている。また、器具本体１は、例えば、天井材９０から予め導出された一対の吊りボルト９１，９１に取り付けられ、天井材９０に直付けされるように構成されている。
【００１９】
器具本体１は、例えば、板金に曲げ加工等を施すことによって、長尺かつ上面が開口する扁平な箱状に形成されている。器具本体１には、光源ユニット２を収納する凹部１４が設けられている。
【００２０】
凹部１４の上壁１５には、例えば、天井材９０から予め導出された電源線９２を通す第１孔１５ａが形成されている。また、凹部１４の上壁１５には、一対の吊りボルト９１，９１を通す一対の第２孔１５ｂ，１５ｂが形成されている。さらに、凹部１４の上壁１５には、端子台３０が取り付けられている。なお、電源線９２は、外部電源と電気的に接続されている。外部電源は、例えば、商用電源である。
【００２１】
端子台３０は、第１孔１５ａから導出された電源線９２を電気的および機械的に接続するように構成されている。端子台３０には、端子台３０と光源ユニット２とを電気的に接続する接続線３１が電気的に接続されている。
【００２２】
光源ユニット２は、光源部３と、電源ユニット４と、取付部材５と、接続部材６と、レンズユニット７と、カバー８と、一対の取付具９，９とを備えている。
【００２３】
光源部３は、複数の固体発光素子１８と、複数の固体発光素子１８が実装される基板１９とを備えている。なお、実装とは、電気的な接続を意味する。
【００２４】
複数の固体発光素子１８の各々は、例えば、発光ダイオードである。複数の固体発光素子１８の接続関係は、例えば、直列接続である。なお、複数の固体発光素子１８の各々は、発光ダイオードであるが、これを特に限定するものではない。
【００２５】
基板１９は、例えば、プリント基板である。基板１９の第１面（図１では、下面）には、複数の固体発光素子１８が配置されている。なお、基板１９は、プリント基板に限らず、例えば、セラミック基板等であってもよい。
【００２６】
光源部３は、複数（図示例では、２枚）の基板１９を備えている。以下では、説明の便宜上、２枚の基板１９のうち一方の基板１９を「第１基板１９Ａ」と称し、他方の基板１９を「第２基板１９Ｂ」と称する。
【００２７】
第１基板１９Ａと第２基板１９Ｂとは、器具本体１の長手方向に沿って、直線状に並んで配置されている。また、第１基板１９Ａと第２基板１９Ｂとは、互いに電気的に接続されるように構成されている。一例を挙げて説明すると、第１基板１９Ａの端部（図１では、右端部）には、第２基板１９Ｂと電気的に接続する一対の第１接続片（図示せず）が設けられている。第２基板１９Ｂは、第１基板１９Ａの上記端部と対向する端部（図１では、左端部）に、一対の第１接続片と電気的に接続される一対の第２接続片（図示せず）が設けられている。
【００２８】
一対の第１接続片は、第１基板１９Ａにおいて直列接続された複数の固体発光素子１８と電気的に接続されている。具体的に説明すると、一対の第１接続片のうちの一方の第１接続片は、直列接続された複数の固体発光素子１８におけるカソード側の接続端（図示せず）と電気的に接続されている。一対の第１接続片のうちの他方の第１接続片は、直列接続された複数の固体発光素子１８におけるアノード側の接続端（図示せず）と電気的に接続されている。
【００２９】
一対の第２接続片は、第２基板１９Ｂにおいて直列接続された複数の固体発光素子１８と電気的に接続されている。具体的に説明すると、一対の第２接続片のうちの一方の第２接続片は、直列接続された複数の固体発光素子１８におけるアノード側の接続端（図示せず）と電気的に接続されている。一対の第２接続片のうちの他方の第２接続片は、直列接続された複数の固体発光素子１８におけるカソード側の接続端（図示せず）と電気的に接続されている。光源ユニット２では、一方の第２接続片が、一方の第１接続片と電気的に接続される。また、光源ユニット２では、他方の第２接続片が、他方の第１接続片と電気的に接続される。
【００３０】
第１基板１９Ａおよび第２基板１９Ｂの各々は、取付部材５に取り付けられるように構成されている。具体的に説明すると、第１基板１９Ａには、第１基板１９Ａを取付部材５に取り付けるための切欠き部２０が、複数箇所に設けられている。第２基板１９Ｂには、第２基板１９Ｂを取付部材５に取り付けるための切欠き部２１が、複数箇所に設けられている。
【００３１】
電源ユニット４は、光源部３に電源を供給するように構成されている。また、電源ユニット４は、取付部材５に取り付けられるように構成されている。
【００３２】
電源ユニット４は、光源部３に電源を供給する電源回路を有する電源基板１１と、電源基板１１を収納するケース１２とを備えている。上記電源回路は、例えば、交流電圧を直流電圧に変換するように構成されている。
【００３３】
電源基板１１は、例えば、上記電源回路を構成する複数の電子部品と、これら複数の電子部品が実装される基板とで構成されている。上記基板は、例えば、プリント基板である。
【００３４】
電源基板１１には、コネクタ１３が実装されている。コネクタ１３は、接続線３１を電気的および機械的に接続するように構成されている。また、コネクタ１３は、上記電源回路の入力端と電気的に接続されている。
【００３５】
また、電源基板１１には、コネクタ２２が実装されている。コネクタ２２は、上記電源回路の出力端と電気的に接続されている。
【００３６】
ケース１２は、例えば、下面が開口された矩形箱状に形成されている。ケース１２は、例えば、合成樹脂により形成されている。
【００３７】
ケース１２には、上記基板に実装されたコネクタ１３を露出させる第３孔２３が形成されている。また、ケース１２には、上記基板に実装されたコネクタ２２を露出させる第４孔２４が形成されている。
【００３８】
ケース１２には、ケース１２を取付部材５に取り付けるための取付片２５が、複数箇所（図示例では、２箇所）に設けられている。言い換えれば、ケース１２には、電源ユニット４を取付部材５に取り付けるための取付片２５が、複数箇所に設けられている。要するに、電源ユニット４は、取付部材５に取り付けられるように構成されている。
【００３９】
取付部材５は、光源部３および電源ユニット４が取り付けられるように構成されている。取付部材５は、例えば、長尺かつ板状に形成されている。取付部材５は、例えば、金属により形成されている。
【００４０】
取付部材５の第１面（図１では、下面）には、光源部３が配置されている。
【００４１】
取付部材５は、第１基板１９Ａにおける複数の切欠き部２０に対応する部位の各々に、第１基板１９Ａを保持する第１保持片（図示せず）が設けられている。複数の第１保持片の各々は、取付部材５の一部を切り起こして形成されている。つまり、複数の第１保持片の各々は、板ばねである。複数の第１保持片それぞれの先端部は、取付部材５との間に第１基板１９Ａを挟持するように、第１基板１９Ａの第１面において第１保持片に１対１で対応する切欠き部２０の周部に配置されている。これにより、第１基板１９Ａは、取付部材５に取り付けられる。なお、複数の第１保持片の各々は、第１基板１９Ａに実装された複数の固体発光素子１８から放射された光を遮らないように構成されていることが望ましい。
【００４２】
また、取付部材５は、第２基板１９Ｂにおける複数の切欠き部２１に対応する部位の各々に、第２基板１９Ｂを保持する第２保持片（図示せず）が設けられている。複数の第２保持片の各々は、取付部材５の一部を切り起こして形成されている。つまり、複数の第２保持片の各々は、板ばねである。複数の第２保持片それぞれの先端部は、取付部材５との間に第２基板１９Ｂを挟持するように、第２基板１９Ｂの第１面において第２保持片に１対１で対応する切欠き部２１の周部に配置されている。これにより、第２基板１９Ｂは、取付部材５に取り付けられる。なお、複数の第２保持片の各々は、第２基板１９Ｂに実装された複数の固体発光素子１８から放射された光を遮らないように構成されていることが望ましい。
【００４３】
取付部材５の第２面（図１では、上面）には、電源ユニット４が配置されている。
【００４４】
取付部材５は、ケース１２における複数の取付片２５に対応する部位の各々に、対応する取付片２５を保持する第３保持片（図示せず）が設けられている。複数の第３保持片の各々は、取付部材５の一部を切り起こして形成されている。つまり、複数の第３保持片の各々は、板ばねである。複数の第３保持片それぞれの先端部は、取付部材５との間に、対応する取付片２５を挟持するように、この取付片２５の一面（図１では、上面）に配置されている。これにより、ケース１２は、取付部材５に取り付けられる。要するに、電源ユニット４は、取付部材５に取り付けられる。
【００４５】
取付部材５は、取付部材５の長手方向と直交する短手方向の両端部に、上側へ突出する一対の突壁２６，２６が設けられている。一対の突壁２６，２６の各々は、取付部材５における長手方向の全長に亘って設けられている。
【００４６】
接続部材６は、光源部３と電源ユニット４とを電気的に接続するように構成されている。なお、接続部材６の詳細については、後述する。
【００４７】
レンズユニット７は、光源部３から放射された光の配光を制御するように構成されている。また、レンズユニット７は、光源部３を覆い、かつ、取付部材５に取り付けられるように構成されている。レンズユニット７は、透光性を有する材料により形成されている。透光性を有する材料としては、例えば、アクリル樹脂、ガラス等が挙げられる。
【００４８】
レンズユニット７は、光源部３から放射された光の配光を制御するレンズ部７ａと、レンズユニット７を取付部材５に取り付けるための一対の取付部７ｂ，７ｂとを備えている。
【００４９】
レンズ部７ａは、光源部３を覆うように形成されている。一例を挙げて説明すると、レンズ部７ａは、例えば、レンズ部７ａの光出射面が光源部３とは反対側（図１では、下側）に向かって凸曲面となるように形成されている。また、レンズ部７ａは、例えば、レンズ部７ａの光入射面が光源部３とは反対側に向かって凹曲面となるように形成されている。
【００５０】
レンズ部７ａの周部には、一対の取付部７ｂ，７ｂが設けられている。
【００５１】
一対の取付部７ｂ，７ｂの各々は、レンズ部７ａと一体に形成されている。一対の取付部７ｂ，７ｂの各々には、自身を取付部材５に引掛けるための引掛片２７が、複数箇所に設けられている。取付部材５は、レンズユニット７における複数の引掛片２７に対応する部位の各々に、対応する引掛片２７を引掛けるための第５孔２８が形成されている。これにより、レンズユニット７は、取付部材５に取り付けられる。
【００５２】
カバー８は、レンズユニット７を覆い、かつ、取付部材５に取り付けられるように構成されている。カバー８は、例えば、拡散性を有する材料により形成されている。拡散性を有する材料としては、例えば、乳白色のアクリル樹脂等が挙げられる。
【００５３】
カバー８は、例えば、カバー８の外面がレンズユニット７とは反対側（図１では、下側）に向かって凸曲面となるように形成されている。また、カバー８は、例えば、カバー８の内面がレンズユニットとは反対側に向かって凹曲面となるように形成されている。
【００５４】
カバー８は、取付部材５の短手方向に沿った方向の両端部に、上側へ突出する一対の突壁２９，２９が設けられている。
【００５５】
一対の突壁２９，２９の各々には、取付部材５における一対の突壁２６，２６のうち１つの突壁２６を挟持する挟持部２９ｂが設けられている。また、一対の突壁２９，２９の各々には、カバー８を取付部材５に固定するためのねじ（図示せず）を通す第６孔（図示せず）が、複数箇所に形成されている。取付部材５における一対の突壁２６，２６は、カバー８における複数の第６孔に対応する部位の各々に、ねじ孔２６ａが形成されている。これにより、カバー８は、取付部材５に固定される。
【００５６】
一対の取付具９，９は、取付部材５を器具本体１に取り付けるように構成されている。言い換えれば、一対の取付具９，９は、光源ユニット２を器具本体１に取り付けるように構成されている。
【００５７】
一対の取付具９，９の各々は、例えば、板金により構成されている。一対の取付具９，９の各々は、基体９ａと、自身を取付部材５に引掛けるための第１引掛片９ｂと、自身を取付部材５に引掛けるための第２引掛片９ｃとを備えている。第１引掛片９ｂは、基体９ａに取り付けられている。第２引掛片９ｃは、基体９ａに一体に形成されている。一例を挙げて説明すると、第２引掛片９ｃは、基体９ａの一部に曲げ加工等を施すことによって、形成されている。つまり、第２引掛片９ｃは、板ばねである。
【００５８】
器具本体１の凹部１４において器具本体１の長手方向に沿った一対の側壁１６，１６のうち一方の側壁１６には、２つの第７孔１６ａが形成されている。２つの第７孔１６ａの各々は、対応する第１引掛片９ｂを引掛けるように形成されている。また、一対の側壁１６，１６のうち他方の側壁１６には、２つの第８孔１６ｂが形成されている。２つの第８孔１６ｂの各々は、対応する第２引掛片９ｃを引掛けるように形成されている。これにより、光源ユニット２は、一対の取付具９，９を介して、器具本体１に取り付けられる。なお、図１では、２つの第７孔１６ａのうち１つの第７孔１６ａが見えている。
【００５９】
ところで、取付部材５における光源部３の投影領域内には、接続部材６を通す貫通孔５ａが形成されている。具体的に説明すると、取付部材５における第１基板１９Ａの投影領域内には、上述の貫通孔５ａが形成されている。なお、投影領域とは、垂直投影領域を意味する。
【００６０】
電源ユニット４は、第４孔２４から露出されたコネクタ２２が取付部材５の貫通孔５ａに臨む形で、取付部材５の第２面に配置されている。すなわち、電源ユニット４は、取付部材５における貫通孔５ａの近くに配置されている。
【００６１】
第１基板１９Ａは、貫通孔５ａと対向する部位に、接続部材６が貫通孔５ａを通して接続される接続部３２が設けられている。
【００６２】
接続部３２は、例えば、図３に示すように、コネクタである。接続部３２は、一対のピン３２ａ，３２ａを備えている。なお、図３では、一対のピン３２ａ，３２ａのうち１つのピン３２ａが見えている。
【００６３】
接続部３２は、第１基板１９Ａにおいて直列接続された複数の固体発光素子１８のうち２つの固体発光素子１８の間に、配置されている。光源ユニット２では、接続部３２として、例えば、日本圧着端子製造株式会社製のＬＥＸコネクタを用いている。また、光源ユニット２では、第１基板１９Ａに、接続部３２の一部を通す第９孔１７（図３参照）が形成されている。なお、以下では、説明の便宜上、上述の２つの固体発光素子１８のうち一方の固体発光素子１８を「第１固体発光素子１８Ａ」と称し、他方の固体発光素子１８を「第２固体発光素子１８Ｂ」と称する。
【００６４】
一対のピン３２ａ,３２ａのうち一方のピン３２ａは、例えば、第１固体発光素子１８Ａのカソードと電気的に接続されている。また、一対のピン３２ａ，３２ａのうち他方のピン３２ａは、例えば、第２固体発光素子１８Ｂのアノードと電気的に接続されている。具体的に説明すると、一方のピン３２ａは、接続部３２の上記一部を第９孔１７に通した状態で、第１基板１９Ａの第１面側（図３では、下面側）に配置された一対の接合部３３，３３のうち一方の接合部３３と電気的に接続されている。他方のピン３２ａは、接続部３２の上記一部を第９孔１７に通した状態で、一対の接合部３３，３３のうち他方の接合部３３と電気的に接続されている。一方の接合部３３は、第１基板１９Ａに予め形成された第１導電線３４と電気的に接続されている。他方の接合部３３は、第１基板１９Ａに予め形成された第２導電線３５と電気的に接続されている。一対の接合部３３，３３の各々は、例えば、半田である。第１導電線３４は、第１固体発光素子１８Ａのカソードと電気的に接続されている。第２導電線３５は、第２固体発光素子１８Ｂのアノードと電気的に接続されている。なお、接続部３２は、第１固体発光素子１８Ａおよび第２固体発光素子１８Ｂの各々から放射された光を遮らない位置に、配置されていることが望ましい。
【００６５】
光源ユニット２では、接続部３２が、第１基板１９Ａにおいて直列接続された複数の固体発光素子１８のうち２つの固体発光素子１８Ａ，１８Ｂの間に配置されているが、接続部３２の配置を特に限定するものではない。接続部３２は、例えば、図４に示すように、第１基板１９Ａにおいて、直列接続された複数の固体発光素子１８が配置されていない端部（図示例では、左端部）に配置されていてもよい。この場合、貫通孔５ａは、取付部材５において接続部３２に対応する部位に形成される。これにより、光源ユニット２では、各固体発光素子１８の間の距離を比較的短くすることが可能となる。よって、光源ユニット２では、１枚の基板１９に実装できる固体発光素子１８の数を増やすことが可能となり、光源部３の光出力を大きくすることが可能となる。
【００６６】
接続部材６は、図５に示すように、第１コネクタ３６と、第２コネクタ３７と、第１コネクタ３６と第２コネクタ３７とを電気的に接続する導体部３８とを備えている。
【００６７】
第１コネクタ３６は、電源ユニット４と電気的に接続されるように構成されている。具体的に説明すると、第１コネクタ３６は、電源基板１１に実装されたコネクタ２２と電気的および機械的に接続されるように構成されている。
【００６８】
第２コネクタ３７は、接続部３２と電気的および機械的に接続されるように構成されている。
【００６９】
導体部３８は、例えば、被覆電線である。導体部３８の一端部は、第１コネクタ３６と電気的に接続されている。導体部３８の他端部は、第２コネクタ３７と電気的に接続されている。なお、導体部３８は、被覆電線に限らず、例えば、金属部材であってもよい。金属部材としては、例えば、銅や銅合金にプレス加工等を施して成形された部品等が挙げられる。
【００７０】
また、接続部材６は、第１コネクタ３６を保持する第１保持部３９と、第２コネクタ３７を保持する第２保持部４０とを備えている。第１保持部３９は、例えば、合成樹脂により矩形箱状に形成されている。第２保持部４０は、例えば、合成樹脂により矩形箱状に形成されている。
【００７１】
第１保持部３９は、第２保持部４０の上壁に配置されている。また、第１保持部３９は、第２保持部４０の上壁に、第１保持部３９が取付部材５の長手方向（図５では、左右方向）に沿って変位可能に取り付けられている。具体的に説明すると、第２保持部４０の上壁は、例えば、取付部材５の短手方向に沿った方向の両端部に、第１保持部３９を取付部材５の長手方向に沿って変位させる一対のレール部（図示せず）が設けられている。すなわち、第１保持部３９は、第２保持部４０に取り付けられ、かつ、第２保持部４０に対して変位可能に構成されている。これにより、光源ユニット２では、第２保持部４０に保持された第２コネクタ３７を接続部３２に接続した後に、第１保持部３９を取付部材５の長手方向の一方向（図５では、右方向）に沿って変位させることで、第１コネクタ３６とコネクタ２２とが接続される。なお、第１保持部３９には、導体部３８を通す第１０孔（図示せず）が設けられている。また、第２保持部４０の上壁には、導体部３８を通す第１１孔（図示せず）が設けられている。
【００７２】
第２コネクタ３７は、接続部３２と電気的に接続する導電部４２と、導電部４２を収納するハウジング４３とを備えている。ハウジング４３は、例えば、合成樹脂により形成されている。つまり、取付部材５における貫通孔５ａの内側には、取付部材５と第２コネクタ３７の導電部４２とを電気的に絶縁するハウジング４３が配置されている。要するに、取付部材５における貫通孔５ａの内側には、取付部材５と接続部材６の導電部４２とを電気的に絶縁する絶縁部材（ハウジング４３）が配置されている。
【００７３】
なお、照明器具１０は、天井材９０に直付けされるように構成されているが、この構成に限らない。照明器具１０は、例えば、天井材９０から吊り下げられた一対の吊り具（図示せず）に取り付けられるように構成されていてもよい。
【００７４】
以上説明した実施形態１の光源ユニット２は、光源部３と、光源部３に電源を供給する電源ユニット４と、光源部３および電源ユニット４が取り付けられる取付部材５と、光源部３と電源ユニット４とを電気的に接続する接続部材６とを備えている。取付部材５は、板状に形成されている。取付部材５の第１面には、光源部３が配置されている。取付部材５における前記第１面とは反対側の第２面には、電源ユニット４が配置されている。取付部材５における光源部３の投影領域内には、貫通孔５ａが形成されている。光源部３は、貫通孔５ａと対向する部位に、接続部材６が貫通孔５ａを通して接続される接続部３２が設けられている。これにより、光源ユニット２では、取付部材５の貫通孔５ａが光源部３により閉塞されるので、特許文献１に記載された照明器具における光源ユニットに比べて、光源ユニット２内に異物が侵入するのを抑制することが可能となる。
【００７５】
取付部材５は、上述の様に、金属により形成されていることが好ましい。これにより、光源ユニット２では、放熱性を向上させることが可能となる。また、取付部材５における貫通孔５ａの内側には、上述の様に、取付部材５と接続部材６の導電部４２とを電気的に絶縁する絶縁部材（ハウジング４３）が配置されていることが好ましい。これにより、光源ユニット２では、取付部材５と接続部材６の導電部４２との電気的な絶縁性を向上させることが可能となる。
【００７６】
接続部材６は、上述の様に、電源ユニット４と電気的に接続される第１コネクタ３６と、接続部３２と電気的に接続される第２コネクタ３７と、第１コネクタ３６と第２コネクタ３７とを電気的に接続する導体部３８とを備えていることが好ましい。これにより、光源ユニット２では、接続部材６として、例えば、ワイヤーハーネスを用いることができる。
【００７７】
また、接続部材６は、上述の様に、第１コネクタ３６を保持する第１保持部３９と、第２コネクタ３７を保持する第２保持部４０とを、更に備えていることが好ましい。第１保持部３９は、上述の様に、第２保持部４０に取り付けられ、かつ、第２保持部４０に対して変位可能に構成されていることが好ましい。これにより、光源ユニット２では、電源ユニット４と光源部３との電気的および機械的な接続を、例えば、光源ユニット２の組み立て作業において自動化することが可能となる。また、光源ユニット２では、例えば、接続部材６としてワイヤーハーネスを用いる場合に必要となる、接続部材６を固定する部品（例えば、クランプ等）が不要となり、組み立て作業性を向上させることが可能となる。
【００７８】
実施形態１の照明器具１０は、光源ユニット２と、光源ユニット２が取り付けられる器具本体１とを備えている。これにより、照明器具１０では、異物が侵入するのを抑制可能な光源ユニット２を備えた照明器具１０を提供することができる。
【００７９】
（実施形態２）
実施形態２の光源ユニット５０の基本構成は、実施形態１の光源ユニット２と同じであり、図６に示すように、接続部材５１、電源ユニット５２および接続部５３の構成などが光源ユニット２と相違する。なお、光源ユニット５０では、光源ユニット２と同様の構成要素に同一の符号を付して説明を適宜省略する。
【００８０】
接続部材５１は、例えば、一対のばね端子５１ａ，５１ａを有するコネクタである。光源ユニット５０では、接続部材５１として、例えば、株式会社ヨコオ製のスプリングコネクタを用いている。なお、図６では、一対のばね端子５１ａ，５１ａのうち１つのばね端子５１ａが見えている。
【００８１】
電源ユニット５２は、実施形態１の電源ユニット４と同様に、光源部３に電源を供給し、かつ、取付部材５に取り付けられるように構成されている。電源ユニット５２は、実施形態１の電源基板１１と同様の機能を有する電源基板５４と、電源基板５４を収納するケース５５とを備えている。以下、電源基板５４については、電源基板１１と異なる点だけを説明する。
【００８２】
電源基板５４には、コネクタ２２の代わりに、接続部材５１が実装されている。接続部材５１は、上記電源回路の出力端と電気的に接続されている。また、接続部材５１は、電源基板５４の一面（図６では、下面）に配置されている。
【００８３】
ケース５５は、例えば、矩形箱状に形成されている。ケース５５は、例えば、合成樹脂により形成されている。ケース５５には、実施形態１のケース１２と同様に、第３孔２３が形成され、かつ、取付片２５が複数箇所に設けられている。
【００８４】
電源ユニット５２は、ケース５５が取付部材５の貫通孔５ａを閉塞するように、取付部材５の第２面（図６では、上面）に配置されている。
【００８５】
ケース５５の下壁５６には、接続部材５１を突出させる第１２孔５６ａが形成されている。具体的に説明すると、ケース５５の下壁５６には、接続部材５１の一対のばね端子５１ａ，５１ａを突出させる第１２孔５６ａが形成されている。第１２孔５６ａは、ケース５５の下壁５６において、取付部材５の貫通孔５ａと対向する位置に形成されている。第１２孔５６ａの開口サイズは、貫通孔５ａの開口サイズよりも小さく設定されている。
【００８６】
第１基板１９Ａは、貫通孔５ａと対向する部位に、接続部材５１が貫通孔５ａを通して接続される接続部５３が設けられている。
【００８７】
接続部５３は、第１基板１９Ａにおいて、直列接続された複数の固体発光素子１８が配置されていない端部（図６では、左端部）に配置されている。また、接続部５３は、例えば、第１基板１９Ａの第２面（図６では、上面）に設けられている。貫通孔５ａは、取付部材５において接続部５３に対応する部位に形成されている。
【００８８】
接続部５３は、例えば、図７に示すように、導電性を有する一対のパッドである。導電性を有する一対のパッドとしては、例えば、一対の電極が挙げられる。
【００８９】
接続部５３は、第１基板１９Ａに予め形成された一対の導電体５７，５８と電気的に接続されている。一対の導電体５７，５８の各々は、例えば、第１基板１９Ａとして用いる上記プリント基板に形成されたビアである。
【００９０】
導電体５７は、第１基板１９Ａに予め形成された第３導電線（図示せず）と電気的に接続されている。導電体５８は、第１基板１９Ａに予め形成された第４導電線４４（図６参照）と電気的に接続されている。
【００９１】
第３導電線および第４導電線４４は、第１基板１９Ａにおいて直列接続された複数の固体発光素子１８のうち２つの固体発光素子１８と電気的に接続されている。なお、以下では、説明の便宜上、２つの固体発光素子１８のうち一方の固体発光素子１８を「第３固体発光素子」と称し、他方の固体発光素子１８を「第４固体発光素子１８Ｄ」と称する。
【００９２】
第３導電線は、第３固体発光素子のカソードと電気的に接続されている。第４導電線４４は、第４固体発光素子１８Ｄのアノードと電気的に接続されている。
【００９３】
光源ユニット５０では、第１基板１９Ａを取付部材５に取り付けた後に、電源ユニット５２を取付部材５に取り付けることで、接続部材５１の一対のばね端子５１ａ，５１ａと接続部５３とが電気的に接続される。
【００９４】
取付部材５における貫通孔５ａの内側には、図８に示すように、取付部材５と接続部材５１の一対のばね端子５１ａ，５１ａとを電気的に絶縁する絶縁部材５９が配置されていることが好ましい。これにより、光源ユニット５０では、取付部材５と接続部材５１の一対のばね端子５１ａ，５１ａとの電気的な絶縁性を向上させることが可能となる。なお、接続部材５１の一対のばね端子５１ａ，５１ａが、接続部材５１の導電部に相当する。
【００９５】
光源ユニット５０では、接続部材５１として、一対のばね端子５１ａ，５１ａを有するコネクタを用いているが、これに限らず、例えば、一対の板ばねを有するコネクタを用いてもよい。
【００９６】
なお、実施形態２の光源ユニット５０は、例えば、実施形態１の照明器具１０に適用してもよい。
【００９７】
以上説明した実施形態２の光源ユニット５０は、光源部３と、光源部３に電源を供給する電源ユニット５２と、光源部３および電源ユニット５２が取り付けられる取付部材５と、光源部３と電源ユニット５２とを電気的に接続する接続部材５１とを備えている。取付部材５は、板状に形成されている。取付部材５の第１面には、光源部３が配置されている。取付部材５における前記第１面とは反対側の第２面には、電源ユニット５２が配置されている。取付部材５における光源部３の投影領域内には、貫通孔５ａが形成されている。光源部３は、貫通孔５ａと対向する部位に、接続部材５１が貫通孔５ａを通して接続される接続部５３が設けられている。これにより、光源ユニット５０では、取付部材５の貫通孔５ａが光源部３により閉塞されるので、特許文献１に記載された照明器具における光源ユニットに比べて、光源ユニット５０内に異物が侵入するのを抑制することが可能となる。
【００９８】
取付部材５は、上述の様に、金属により形成されていることが好ましい。これにより、光源ユニット５０では、放熱性を向上させることが可能となる。また、取付部材５における貫通孔５ａの内側には、取付部材５と接続部材５１の導電部（一対のばね端子５１ａ，５１ａ）とを電気的に絶縁する絶縁部材５９が配置されていることが好ましい。これにより、光源ユニット５０では、取付部材５と接続部材５１の上記導電部との電気的な絶縁性を向上させることが可能となる。
【００９９】
電源ユニット５２は、上述の様に、光源部３に電源を供給する電源回路を有する電源基板５４と、電源基板５４を収納するケース５５とを備えていることが好ましい。電源基板５４には、上述の様に、接続部材５１が電気的に接続されていることが好ましい。ケース５５には、上述の様に、接続部材５１を突出させる孔（第１２孔）５６ａが形成されていることが好ましい。これにより、光源ユニット５０では、接続部材５１を接続部５３に接触させることで、電源ユニット５２と光源部３とを電気的に接続することが可能となる。
【０１００】
また、電源ユニット５２は、上述の様に、ケース５５が取付部材５の貫通孔５ａを閉塞するように、取付部材５の第２面に配置されていることが好ましい。これにより、光源ユニット５０では、取付部材５の貫通孔５ａが、取付部材５の第１面に配置された光源部３と、取付部材５の第２面に配置された電源ユニット５２とで閉塞される。よって、光源ユニット５０では、実施形態１の光源ユニット２に比べて、光源ユニット５０内に異物が侵入するのを、より抑制することが可能となる。
【０１０１】
（実施形態３）
実施形態３の光源ユニット６０の基本構成は、実施形態１の光源ユニット２と同じであり、図９に示すように、接続部材６１の構成が光源ユニット２と相違する。なお、光源ユニット６０では、光源ユニット２と同様の構成要素に同一の符号を付して説明を適宜省略する。
【０１０２】
接続部材６１は、第１コネクタ３６と、第２コネクタ３７と、導体部３８とを備えている。すなわち、接続部材６１は、実施形態１の接続部材６が備える第１保持部３９と第２保持部４０とを、備えていない。
【０１０３】
なお、実施形態３の光源ユニット６０は、例えば、実施形態１の照明器具１０に適用してもよい。
【０１０４】
以上説明した実施形態３の光源ユニット６０は、光源部３と、光源部３に電源を供給する電源ユニット４と、光源部３および電源ユニット４が取り付けられる取付部材５と、光源部３と電源ユニット４とを電気的に接続する接続部材６１とを備えている。取付部材５は、板状に形成されている。取付部材５の第１面には、光源部３が配置されている。取付部材５における前記第１面とは反対側の第２面には、電源ユニット４が配置されている。取付部材５における光源部３の投影領域内には、貫通孔５ａが形成されている。光源部３は、貫通孔５ａと対向する部位に、接続部材６１が貫通孔５ａを通して接続される接続部３２が設けられている。これにより、光源ユニット６０では、取付部材５の貫通孔５ａが光源部３により閉塞されるので、特許文献１に記載された照明器具における光源ユニットに比べて、光源ユニット６０内に異物が侵入するのを抑制することが可能となる。
【０１０５】
接続部材６１は、上述の様に、電源ユニット４と電気的に接続される第１コネクタ３６と、接続部３２と電気的に接続される第２コネクタ３７と、第１コネクタ３６と第２コネクタ３７とを電気的に接続する導体部３８とを備えていることが好ましい。これにより、光源ユニット６０では、接続部材６１として、例えば、ワイヤーハーネスを用いることができる。
【０１０６】
（実施形態４）
実施形態４の光源ユニット７０の基本構成は、実施形態３の光源ユニット６０と同じであり、図１０に示すように、電源ユニット７１が、取付部材５の貫通孔５ａを閉塞するように構成されている点などが光源ユニット６０と相違する。なお、光源ユニット７０では、光源ユニット６０と同様の構成要素に同一の符号を付して説明を適宜省略する。
【０１０７】
電源ユニット７１は、実施形態３の電源ユニット４と同様に、光源部３に電源を供給し、かつ、取付部材５に取り付けられるように構成されている。電源ユニット７１は、実施形態３の電源基板１１と同様の機能を有する電源基板７２と、電源基板７２を収納するケース７３とを備えている。以下、電源基板７２については、電源基板１１と異なる点だけを説明する。また、ケース７３については、実施形態３のケース１２と異なる点だけを説明する。
【０１０８】
電源基板７２には、コネクタ７４が実装されている。コネクタ７４は、上記電源回路の出力端と電気的に接続されている。
【０１０９】
ケース７３は、ケース１２に形成された第４孔２４を備えていない。
【０１１０】
電源ユニット７１は、ケース７３が取付部材５の貫通孔５ａを閉塞するように、取付部材５の第２面（図１０では、上面）に配置されていることが好ましい。言い換えれば、電源ユニット７１は、取付部材５の貫通孔５ａを閉塞するように、取付部材５の第２面に配置されていることが好ましい。これにより、光源ユニット７０では、取付部材５の貫通孔５ａが、取付部材５の第１面に配置された光源部３と、取付部材５の第２面に配置された電源ユニット７１とで閉塞される。よって、光源ユニット７０では、実施形態３の光源ユニット６０に比べて、光源ユニット７０内に異物が侵入するのを、より抑制することが可能となる。
【０１１１】
なお、実施形態４の光源ユニット７０は、例えば、実施形態１の照明器具１０に適用してもよい。
【符号の説明】
【０１１２】
１  器具本体
２  光源ユニット
３  光源部
４  電源ユニット
５  取付部材
５ａ  貫通孔
６  接続部材
１０  照明器具
１１  電源基板
１２  ケース
３２  接続部
３６  第１コネクタ
３７  第２コネクタ
３８  導体部
３９  第１保持部
４０  第２保持部
４２  導電部
４３  ハウジング（絶縁部材）
５０  光源ユニット
５１  接続部材
５１ａ  ばね端子（導電部）
５２  電源ユニット
５３  接続部
５４  電源基板
５５  ケース
５６ａ  第１２孔（孔）
５９  絶縁部材
６０  光源ユニット
６１  接続部材
７０  光源ユニット
７１  電源ユニット
７２  電源基板
７３  ケース
【図１】
2016046047.tif 000003
【図２】
2016046047.tif 000004
【図３】
2016046047.tif 000005
【図４】
2016046047.tif 000006
【図５】
2016046047.tif 000007
【図６】
2016046047.tif 000008
【図７】
2016046047.tif 000009
【図８】
2016046047.tif 000010
【図９】
2016046047.tif 000011
【図１０】
2016046047.tif 000012